(57)【要約】【課題】消火剤を無駄なく炎に当てて効率よく消火を行うことのできる消火器を提供すること。【解決手段】  消火剤が充填された容器１と、その容器１に接続されたホース２と、消火剤を放出するノズルとを備えた消火器において、ホースの先端に、内部に流路６を有する平板部５を接続し、その平板部５の流路６にノズル８を複数接続した。  ホース２の途中には、手動で開閉される元弁３が設けられ、平板部５のノズル８が接続されるノズル面に難燃性の紐状体１０を取り付けた。平板部５によって火災の炎をはたくことで火災を消火する。【選択図】図１
2009240682.tif 000002
【特許請求の範囲】
【請求項１】
消火剤が充填された容器と、該容器に接続されたホースと、前記消火剤を放出するノズルとを備えた消火器において、
前記ホースの先端に、内部に流路を有する平板部を接続し、
該平板部の流路に前記ノズルを複数接続したことを特徴とする消火器。
【請求項２】
前記ホースの途中に、手動で開閉される元弁を設けたことを特徴とする請求項１記載の消火器。
【請求項３】
前記平板部の前記ノズルが接続されるノズル面に難燃性の紐状体を取り付けたことを特徴とする請求項２記載の消火器。
【請求項４】
前記平板部に伸縮自在な把持棒を設けたことを特徴とする請求項１乃至請求項３いずれかに記載の消火器。
【発明の詳細な説明】
【技術分野】
【０００１】
この発明は、消火器に関するものである。
【背景技術】
【０００２】
火災を消火する消火器としては、例えば特許文献１のようなものがある。消火器は、
消火剤が充填された容器と、その容器に接続されたホースと、容器とホースとの間に設けられた操作レバー付きの弁機構と、ホースの先端に設けられたノズルとから構成されている。
【０００３】
火災を消火する際には、弁機構から安全栓を取り外した後、操作レバーを握ることで、ノズルから消火剤を放出する。
【特許文献１】特開２０００−１６７０７９号公報
【発明の開示】
【発明が解決しようとする課題】
【０００４】
消火器を使用して火災を消火するには、ホースの先端側を持って、ノズルを火災に向けて消火剤を放出する。この際、炎から離れた所で消火器を操作して、ノズルから出る棒状の消火剤を炎に当てるので、初心者では、炎に上手く消火剤を当てることができず、効率よく消火を行うことができない。
【０００５】
そこで、本発明は、消火剤を無駄なく炎に当てて効率よく消火を行うことのできる消火器を提供することを目的とする。
【課題を解決するための手段】
【０００６】
本発明は、消火剤が充填された容器と、該容器に接続されたホースと、前記消火剤を放出するノズルとを備えた消火器において、ホースの先端に、内部に流路を有する平板部を接続し、該平板部の流路に前記ノズルを複数接続したことを特徴とするものである。
【発明の効果】
【０００７】
本発明は以上のように構成され、消火器のホースの先端に、内部に流路を有する平板部が接続され、この平板部にはノズルが複数接続されている。このため、平板部を炎の上部に位置させて消火剤を放出すれば、ノズルから放出する消火剤を無駄なく炎に当てることができ、効率よく火災を消火できる。
【０００８】
また、ホースの途中に、手動で開閉される元弁が設けられるので、従来の消火器のように、操作レバーを握りながらの操作が不要となって、消火器の操作が行いやすくなる。
【０００９】
また、平板部のノズルが接続されるノズル面には、難燃性の紐状体が取り付けられているので、消火剤の放出によって紐状体が湿り気を帯びる。このため、平板部で炎をはたくようにして、火災を消火することもでき、消火剤がなくなった後、火災が消火しきれていない場合などに対処できる。
【００１０】
また、平板部には伸縮自在な把持棒が設けられるので、把持棒を伸ばして、平板部を炎の位置まで伸ばすことで、炎に必要以上近づくことなく、離れた位置で火災を消火できる。
【発明を実施するための最良の形態】
【００１１】
本発明の実施形態を図面を用いて説明する。図１は本実施形態の使用状態を示す図面である。図２は消火器の側面図で、一部を断面図で示している。図３は消火器のノズル面側から見た正面図である。図において、１は消火剤が充填された容器で、例えば水や強化液などの液状の消火剤が加圧式又は蓄圧式によって充填されている。２は容器１の上部にある取出口に接続されたホースである。ホース２の途中には、手動で開閉される元弁３が設けられる。元弁３は常時は閉じた状態にあり、図示しないレバーを回動させることで、元弁を閉止状態から開放状態にすることができる。この操作用のレバーは特に回動されない限りは、その位置を保持する。
【００１２】
５は平板部であり、ホース２の先端に接続されている。平板部５は、図２の断面図に示すように、内部に流路６が設けられるように内部は空洞になっている。平板部５の背面側にはホース２の接続口７があり、ここにホース２の先端が接続されている。平板部５は難燃性物質で形成され、火災の炎をはたいて消せる程度の大きさであって、例えば団扇よりは大きく、数十ｃｍの長さを有する。
【００１３】
また、平板部５の前面側（以下、ノズル面という）には、複数、例えば８個の消火剤を放出するノズル８が設けられる。より詳しく言えば、平板部５のノズル面側にノズル８をねじ込んで、流路６に複数のノズル８が等間隔で接続されている。
【００１４】
１０は難燃性素材からなる紐状体又は布状体であり、平板部５のノズル８が接続されるノズル面に取り付けられている。ノズル面への紐状体１０の取り付けは、例えば、接着または埋込によるものである。この紐状体は例えば、数ｃｍから十数ｃｍの長さである。
【００１５】
１１は伸縮自在な把持棒であり、平板部５の短辺方向の側面に設けられる。把持棒１１は、径の異なる複数個の円筒から構成され、径の大きい円筒の中にそれよりわずかに径の小さい円筒が連続して入ることで、伸縮自在となっている。
【００１６】
次にこの消火器を使用して火災を消火する場合について説明する。まず、火災を発見したら、火災を消せる位置まで消火器を持っていき、床面に消火器の容器１を置く。そして、容器１の図示しない安全栓を外して消火剤を放出できる状態にする。続いて、把持棒１１を伸ばして平板部５を炎の上方に持っていく。このように、平板部５には伸縮自在な把持棒１１が設けられているので、把持棒１１を伸ばして、平板部５を炎の位置まで伸ばせば、炎に必要以上近づくことなく、離れた位置で、火災の消火活動を行える。
【００１７】
この状態で、元弁３の操作レバーを回動して弁を開放状態にすると、容器１内で加圧された消火剤がホース２を通って平板部５の流路６に流れ込む。それから、ノズル８から消火剤が放出され、炎の上方から、シャワーのように消火剤が降り注ぐ。このように平板部５を炎の上部に位置させて消火剤を放出すれば、ノズル８から放出する消火剤を無駄なく炎に当てることができ、効率よく火災を消火できる。
【００１８】
また、ホース２の途中に、手動で開閉される元弁３が設けられるので、操作レバーを握りながらの操作は不要であり、また容器１も床面に置いたまま、消火剤を炎に当てられるので、消火器の操作は行いやすい。
【００１９】
以上のようにノズル８からの消火剤を炎に当てることで、火災を消火してもよいが、平板部５によって炎をはたくことで、火災を消火するようにしてもよい。この「はたく」という方法は、火源付近の可燃物ガスを除去する効果、および平板部への熱移動による冷却効果を利用した消火方法である。
【００２０】
はたきによる消火効果を向上させるために、平板部５のノズル８が接続されるノズル面には、難燃性の紐状体１０が取り付けられている。消火剤を放出した後、炎の大きさが十分に小さくなったら、炎を平板部５ではたくようにして消火してもよい。紐状体１０は、消火剤の放出によって湿り気を帯びているので、平板部５で炎をはたくようにすると、前述したように、可燃性ガスが除去されると共に、紐状体１０へ熱が移動して冷却され、火災を消火することができる。特に、毛布などの乾いたもので炎をはたく場合に比べ、平板部５というノズル８を備えたもので、消火剤を放出しながら火源をはたく場合は、冷却効果が向上し、消火しやすくなる。なお、平板部５および紐状体１０は共に難燃性であるから、炎によって燃えることはない。このように消火器は、平板部５を有しているので、消火剤がなくなった後、火災が消火しきれていない場合などに対処することができる。
【００２１】
なお、消火器１の使用方法は、特に限定されず、消火剤を出して紐状体１０を濡らして、炎をはたいて、また消火剤を出して炎をはたくというようなことを繰り返して火災を消火するようにしてもよい。
【００２２】
以上、本実施形態では、消火剤を強化液などの液状のものを使用して説明したが、消火剤は窒素などの不活性ガスであってもよく、この場合には、ノズルをガス放出用のノズルにすればよい。ノズルからガスを放出する際には、紐状体によって消火ガスはゆるやかに放射される。
【図面の簡単な説明】
【００２３】
【図１】本実施形態の消火器の使用状態を示す図面である。
【図２】消火器の側面図で、一部を断面図で示している。
【図３】消火器のノズル面側から見た正面図である。
【符号の説明】
【００２４】
１  容器、  ２  ホース、  ３  元弁、  ５  平板部、６  流路、
７  接続口、  ８  ノズル、  １０  紐状体、  １１  把持棒、ｔｔ
【図１】
2009240682.tif 000003
【図２】
2009240682.tif 000004
【図３】
2009240682.tif 000005